(57)【要約】  【課題】  灌水用チューブの設置作業が容易であり、灌水用チューブのたるみを防止することができる灌水用チューブの設置構造を提供する。  【解決手段】  本発明の灌水用チューブの設置構造１は、灌水用チューブ１０は複数の支持部材１１によって支えられている。そして、支持部材１１には開放側が対向する１対の凹部４５、４７を有し、支持部材１１の凹部４５、４７が上下方向に対向するように設置して、灌水用チューブ１０の両縁４１、４２を支持部材１１の凹部４５、４７に保持させる。【選択図】  図３
2006296310.tif 000002
【特許請求の範囲】
【請求項１】
灌水用チューブを複数の支持部材によって中空位置に支持し、当該灌水用チューブを横方向にのびるように敷設する灌水用チューブの設置構造において、前記灌水用チューブは、長手方向にのびる二列以上の密着部が設けられ、密着部に挟まれて形成される空隙部に通水されるものであり、前記灌水用チューブは、前記空隙部と外部とを連通する散水孔が設けられていて空隙部内を流れる水を外部に放出可能であり、前記支持部材には前記灌水用チューブの一方の密着部を天方向に位置するように支持する天側支持部と、他方の密着部を地方向に位置するように支持する地側支持部が設けられ、前記灌水用チューブは、前記支持部材によって密着部が天地方向となる姿勢に支持された状態で横方向にのびるように敷設されていることを特徴とする灌水用チューブの設置構造。
【請求項２】
灌水用チューブを複数の支持部材によって中空位置に支持し、当該灌水用チューブを横方向にのびるように敷設する灌水用チューブの設置構造において、前記灌水用チューブは、長手方向にのびる二列以上の密着部が設けられ、密着部に挟まれて形成される空隙部に通水されるものであり、前記灌水用チューブは、前記空隙部と外部とを連通する散水孔が設けられていて空隙部内を流れる水を外部に放出可能であり、前記支持部材には前記灌水用チューブの一方の密着部が天方向に位置する姿勢となるように灌水用チューブの一方の幅方向端部を支持する天側支持部と、他方の密着部が地方向に位置する姿勢となるように灌水用チューブの他方の幅方向端部を支持する地側支持部が設けられ、前記灌水用チューブは、前記支持部材によって密着部が天地方向となる姿勢に支持された状態で横方向にのびるように敷設されていることを特徴とする灌水用チューブの設置構造。
【請求項３】
天側支持部及び地側支持部は、開放側が対向する１対の凹部によって構成され、前記支持部材は前記凹部が上下方向に対向するように設置され、灌水用チューブの密着部を支持部材の凹部に保持させて灌水用チューブを支持することを特徴とする請求項１又は２記載の灌水用チューブの設置構造。
【請求項４】
支持部材は、リング状部を有し、リング状部の内面であって対向する位置に天側支持部及び地側支持部が設けられていることを特徴とする請求項１乃至３のいずれか記載の灌水用チューブの設置構造。
【請求項５】
支持部材は、天側支持部及び地側支持部を接続するアーム部を有し、アーム部は一部が欠落していて当該欠落部から灌水用チューブを挿入可能であることを特徴とする請求項１乃至３のいずれか記載の灌水用チューブの設置構造。
【請求項６】
長尺状のシートが重ねられ、前記シートには長手方向にのびる二列以上の密着部が設けられ、密着部に挟まれて形成される空隙部に通水されるものであり、前記空隙部と外部とを連通する散水孔が設けられ、前記散水孔から空隙部内の水を外部に放出可能な灌水用チューブにおいて、
前記シートの縁といずれかの密着部との間には非密着部が設けられていることを特徴とする灌水用チューブ。
【請求項７】
請求項６記載の灌水用チューブを、当該灌水用チューブを横方向にのびるように敷設する灌水用チューブの設置構造であって、
非密着部は空隙部より下方に位置しており、上部が開放する空間を形成するように非密着部を変形させて樋部を形成していることを特徴とする灌水用チューブの設置構造。
【請求項８】
非密着部の変形状態の保持をすることが可能な保持部材が設けられていることを特徴とする請求項７記載の灌水用チューブの設置構造。
【請求項９】
保持部材はリング状部を有し、リング状部には非密着部を収納する非密着部収納部が設けられていることを特徴とする請求項８記載の灌水用チューブの設置構造。
【請求項１０】
非密着部収納部は上下方向に挟んで非密着部を保持するものであり、非密着部収納部の上側の部分は、樋部の谷部を避けるように設けられていることを特徴とする請求項９記載の灌水用チューブの設置構造。
【請求項１１】
非密着部が設けられた側のシートの縁付近が支持されていることを特徴とする請求項７〜１０のいずれか記載の灌水用チューブの設置構造。
【請求項１２】
横方向に張られて固定された線材が設けられ、前記線材によってシートの縁付近が支持されていることを特徴とする請求項１１記載の灌水用チューブの設置構造。
【請求項１３】
請求項７〜１２のいずれか記載の灌水用チューブの設置構造において、灌水用チューブ及び保持部材の設置状態を、上下の位置が反対となるように反転させて変更したものであり、
非密着部は空隙部より上方に位置しており、下部が開放する空間を形成するように非密着部を変形させた状態で保持されていることを特徴とする灌水用チューブの設置構造。
【請求項１４】
請求項１記載の灌水用チューブを、当該灌水用チューブを横方向にのびるように敷設する灌水用チューブの設置構造であって、
非密着部は空隙部より上方に位置している状態で保持されていることを特徴とする灌水用チューブの設置構造。
【請求項１５】
灌水用チューブよりも上側には、シートが設けられていることを特徴とする請求項１３又は１４記載の灌水用チューブの設置構造。
【請求項１６】
横方向に張られて固定された線材を備え、前記支持部材又は保持部材にはフックが設けられ、前記支持部材又は保持部材は、フックを前記線材に係合することによって設置されていることを特徴とする請求項１〜５、８〜１５のいずれか記載の灌水用チューブの設置構造。
【請求項１７】
支柱部材を備え、前記支持部材又は保持部材には支柱取付部が設けられ、前記支持部材又は保持部材は、支柱取付部を支柱部材に係合することによって設置されていることを特徴とする請求項１〜５、８〜１５のいずれか記載の灌水用チューブの設置構造。
【請求項１８】
植物が植生された場所で、灌水用チューブを中空位置で横方向にのびるように敷設する灌水用チューブの敷設構造において、
前記灌水用チューブは、長手方向にのびる２列以上の密着部が設けられ、灌水用チューブの一方の密着部を天方向に位置させ、他方の密着部を地方向に位置する状態で植物によって支持し、前記灌水用チューブは、密着部が天地方向となる姿勢に支持された状態で横方向にのびるように敷設されていることを特徴とする灌水用チューブの設置構造。
【発明の詳細な説明】
【技術分野】
【０００１】
本発明は、植物栽培の灌水作業などに使用される灌水用チューブの設置構造に関するものである。
【背景技術】
【０００２】
植物栽培においては、土壌の乾燥を防ぐために灌水作業が欠かせない。旧来、灌水はホース等を使用した手作業によって行われていたが、近年では、自動的に灌水作業を行わしめる構成を採用する農家が増加している。
自動的に灌水作業を行わしめる方法として、散水孔を有するチューブを予め地表に設置しておき、チューブに通水して散水孔から土壌に水を放水する方法が知られている。
【０００３】
上記したような灌水作業に使用される灌水用のチューブは、特許文献１、２などに開示されている。
特許文献１などに開示されている従来技術の灌水用チューブは、変形可能な２枚の長尺状シートを重ね合わせ、その両端部分を長手方向に沿って密着させたものである。この灌水用チューブは、密着部の内側部分が長尺状の空隙部を形成し、当該空隙部に通水される。またシートには、前記した空隙部と外部とを連通する散水孔が所定の間隔で形成されている。そのため空隙部内に通水された水は、散水孔から外部に放出される。
【０００４】
すなわち前記したような灌水用チューブに通水すると、密着部に挟まれて形成された空隙部分が膨らみ、２枚のシートの密着部分の内側が筒状となる。そしてしだいに空隙部内の水圧が上昇し、内部の水が散水孔から放出される。
灌水用チューブは、上記したように、通水時に空隙部が膨らみ、両端側の密着部分よりも中央部分が外側が突出した状態となる。
一方、灌水用チューブに通水しない場合には２枚の長尺シート同士が密接した状態となり、全体として長尺状のシート形状を呈することとなる。そのため灌水用チューブの巻き付けが容易であり、また保管時や販売時などに長さ当たりの体積を小さくすることができる。特に、灌水用チューブは長いものが用いられることが多いので、上記した２枚の長尺状シートを重ね合わせた構造のチューブは便利である。
【特許文献１】特開２０００−１７６３１９号公報
【特許文献２】特開２００４−１４７５６４号公報
【発明の開示】
【発明が解決しようとする課題】
【０００５】
灌水用チューブは、内部に通水が無い場合には全体として平面的なシート状である。そのため例えば地面などに灌水用チューブを設置する場合には、いわゆる「平置き」状態に灌水用チューブを配置する。より具体的には、二枚のシートの一方が地面と密接する状態に配置する。したがって、灌水用チューブに通水されると、両端部の密着部が横方向に位置することとなる。
このように、従来技術においては、灌水用チューブを「平置き」状態に設置することが常態である。
【０００６】
そのため灌水用チューブを地面から離れた中空位置に設置する場合においても、従来技術においては「平置き」状態に設置していた。例えばビニールハウスなどでは、灌水用チューブからの距離や位置による灌水量の差異を低減させるため、灌水用チューブを所定の高さに設置する場合が多いがこのような場合においても、両端部の密着部が横方向（水平状態）に位置するように設置される。
【０００７】
ところで灌水用チューブを中空位置に設置する場合は、何らかの支持部材をもって灌水用チューブを保持する必要があるが、支持部材の位置は、灌水の際に邪魔にならない位置であることが望ましい。
すなわち灌水用チューブからの放水が、支持部材にあたると、土壌への灌水がまばらになってしまう。また灌水用チューブからの放水が支持部材にあたると、支持部材から水滴が垂れて、土壌の表面を荒らす原因となる。
そのため灌水用チューブは、支持部材によって間欠的に保持される。より具体的には、支持部材は、例えば１ｍ間隔といった一定の間隔を設けて設置され、灌水用チューブは、このように一定の間隔を設けて設置された支持部材によって保持される。
【０００８】
ところが上記したように、灌水用チューブはシートを重ねて作られており、撓みやすい。特に灌水用チューブは、内部に通水が無い場合には全体として平面的なシート状であるから撓む。さらに灌水作業を終了するために灌水用チューブに対する通水を停止すると、灌水用チューブの中に残存する水の重さによって灌水用チューブが曲がる。より具体的には、前記したように灌水用チューブは一定の間隔を開けて支持部材に支持されているから、支持部材間の部分（支持されていない部位）は、灌水用チューブの中に残存する水の重さによって下に下がり、灌水用チューブが曲がり、下側にたるむ。そして繰り返しの使用によって、灌水用チューブが部分的に長手方向に移動し、散水孔の分布や開口方向が初期の位置からずれてしまい、予定通りの散水ができないおそれがあった。
【０００９】
灌水用チューブを支持部材に固定してしまえば散水孔の位置がずれることはないが、灌水用チューブを支持部材に固定することは容易ではない。
【００１０】
そこで本発明の第１の課題は、灌水用チューブの設置作業が容易であり、且つ灌水用チューブのたるみを防止することができる灌水用チューブの設置構造を提供することを課題とするものである。
【００１１】
また、上記のような灌水用チューブを用いて、散水を行う場合には、ポンプなどを用いて灌水用チューブ内に水を供給して行われる。また、散水を停止する場合には、作動させているポンプを停止するなどして、水の供給を停止する。そして、水の供給を停止した直後は、空洞部分に水が残っており、その水が残圧によって散水される。そして、散水によって残圧は徐々に低下する。
【００１２】
残圧が大きい間は、散水距離も長いが、残圧が小さくなると散水距離も徐々に短くなる。さらに残圧が低下すると、噴水されず、水が灌水用チューブの表面を伝って滴り落ちて、いわゆるぼた落ちが発生するようになる。
【００１３】
このぼた落ちの水が落下して作物の苗などに接触すると、その衝撃が生育に影響するおそれがあり、種まき直後や、苗が小さい場合などには、特に影響しやすい。
そして、このようなぼた落ちが多い場合には、土にしみこむ量以上に局所的に水が供給されて、地表に水溜まりが発生する状態となる。さらに、この水が蒸発して湿度が高くなり、かびが発生したり、農作物などが病気になるおそれがある。
【００１４】
そこで本発明の第２の課題は、散水停止の際などに発生するぼた落ちを防止することができる灌水用チューブを提供することを課題とするものである。
【課題を解決するための手段】
【００１５】
そして、上記した目的を達成するための請求項１に記載の発明は、灌水用チューブを複数の支持部材によって中空位置に支持し、当該灌水用チューブを横方向にのびるように敷設する灌水用チューブの設置構造において、前記灌水用チューブは、長手方向にのびる二列以上の密着部が設けられ、密着部に挟まれて形成される空隙部に通水されるものであり、前記灌水用チューブは、前記空隙部と外部とを連通する散水孔が設けられていて空隙部内を流れる水を外部に放出可能であり、前記支持部材には前記灌水用チューブの一方の密着部を天方向に位置するように支持する天側支持部と、他方の密着部を地方向に位置するように支持する地側支持部が設けられ、前記灌水用チューブは、前記支持部材によって密着部が天地方向となる姿勢に支持された状態で横方向にのびるように敷設されていることを特徴とする灌水用チューブの設置構造である。
ここで、「横方向にのびるように敷設」は、水平方向から多少傾いた方向にのびるように設置する場合であってもよい。
【００１６】
請求項１に記載の発明によれば、灌水用チューブは「縦置き」状態で設置される。また灌水用チューブには、長手方向にのびる二列以上の密着部が存在し、これらの密着部は高さ方向に並ぶ。そのため請求項１に記載の発明によれば、設置された姿勢における灌水用チューブの断面係数が大きい。従って灌水用チューブの撓みが小さい。
すなわち灌水用チューブに通水しない場合には断面形状は縦方向に細長くなり、自重や残留する水による撓みを小さくすることができる。
【００１７】
また請求項２に記載の発明は、灌水用チューブを複数の支持部材によって中空位置に支持し、当該灌水用チューブを横方向にのびるように敷設する灌水用チューブの設置構造において、前記灌水用チューブは、長手方向にのびる二列以上の密着部が設けられ、密着部に挟まれて形成される空隙部に通水されるものであり、前記灌水用チューブは、前記空隙部と外部とを連通する散水孔が設けられていて空隙部内を流れる水を外部に放出可能であり、前記支持部材には前記灌水用チューブの一方の密着部が天方向に位置する姿勢となるように灌水用チューブの一方の幅方向端部を支持する天側支持部と、他方の密着部が地方向に位置する姿勢となるように灌水用チューブの他方の幅方向端部を支持する地側支持部が設けられ、前記灌水用チューブは、前記支持部材によって密着部が天地方向となる姿勢に支持された状態で横方向にのびるように敷設されていることを特徴とする灌水用チューブの設置構造である。
【００１８】
請求項２に記載の発明についても灌水用チューブは「縦置き」状態で設置される。また密着部が高さ方向に並ぶので設置された姿勢における灌水用チューブの断面係数が大きく、灌水用チューブの撓みを小さくすることができ、また、ねじれを生じることなく設置することができる。
【００１９】
また請求項３に記載の発明は、天側支持部及び地側支持部は、開放側が対向する１対の凹部によって構成され、前記支持部材は前記凹部が上下方向に対向するように設置され、灌水用チューブの密着部を支持部材の凹部に保持させて灌水用チューブを支持することを特徴とする請求項１又は２記載の灌水用チューブの設置構造である。
【００２０】
本発明では、開放側が対向する１対の凹部によって、天側支持部と地側支持部が構成されている。本発明では、支持部材を、前記凹部が上下方向に対向するように設置して灌水用チューブの密着部を支持部材の凹部に保持させるので、灌水用チューブの撓みを小さくすることができる。
【００２１】
請求項４に記載の発明は、支持部材は、リング状部を有し、リング状部の内面であって対向する位置に天側支持部及び地側支持部が設けられていることを特徴とする請求項１乃至３のいずれか記載の灌水用チューブの設置構造である。
【００２２】
本発明の灌水用チューブの設置構造では、支持部材がリング状部を有するので、天地方向に対する剛性が高い。そのため本発明の灌水用チューブの設置構造によると、灌水用チューブの撓みをさらに小さくすることができる。
【００２３】
請求項５に記載の発明は、支持部材は、天側支持部及び地側支持部を接続するアーム部を有し、アーム部は一部が欠落していて当該欠落部から灌水用チューブを挿入可能であることを特徴とする請求項１乃至３のいずれか記載の灌水用チューブの設置構造である。
【００２４】
本発明の灌水用チューブの設置構造では、灌水用チューブを支持部材に装着する作業が容易である。
【００２５】
請求項６に記載の発明は、長尺状のシートが重ねられ、前記シートには長手方向にのびる二列以上の密着部が設けられ、密着部に挟まれて形成される空隙部に通水されるものであり、前記空隙部と外部とを連通する散水孔が設けられ、前記散水孔から空隙部内の水を外部に放出可能な灌水用チューブにおいて、前記シートの縁といずれかの密着部との間には非密着部が設けられていることを特徴とする灌水用チューブである。
【００２６】
請求項６に記載の発明によれば、シートの縁といずれかの密着部との間には非密着部が設けられているので、非密着部を用いることによって散水孔からシート表面を伝って滴り落ちる水の落下を防ぐことができる。
【００２７】
請求項７に記載の発明は、請求項６記載の灌水用チューブを、当該灌水用チューブを横方向にのびるように敷設する灌水用チューブの設置構造であって、非密着部は空隙部より下方に位置しており、上部が開放する空間を形成するように非密着部を変形させて樋部を形成していることを特徴とする灌水用チューブの設置構造である。
ここで、「横方向にのびるように敷設」は、水平方向から多少傾いた方向にのびるように設置する場合であってもよい。
【００２８】
請求項７に記載の発明によれば、上部が開放する空間を形成するように非密着部を変形させて樋部を形成しているので、散水孔からシート表面を伝って滴り落ちる水の落下を樋部により防ぐことができる。
【００２９】
請求項８に記載の発明は、非密着部の変形状態の保持をすることが可能な保持部材が設けられていることを特徴とする請求項７記載の灌水用チューブの設置構造である。
【００３０】
請求項８に記載の発明によれば、非密着部の変形状態の保持を確実に行うことができる。
【００３１】
請求項９に記載の発明は、保持部材はリング状部を有し、リング状部には非密着部を収納する非密着部収納部が設けられていることを特徴とする請求項８記載の灌水用チューブの設置構造である。
【００３２】
請求項９に記載の発明によれば、保持部材には、非密着部を収納する非密着部収納部が設けられているリング状部を有しているので、非密着部の変形状態の保持をより確実に行うことができる。
【００３３】
請求項１０に記載の発明は、非密着部収納部は上下方向に挟んで非密着部を保持するものであり、非密着部収納部の上側の部分は、樋部の谷部を避けるように設けられていることを特徴とする請求項９記載の灌水用チューブの設置構造である。
【００３４】
請求項１０に記載の発明によれば、非密着部収納部の上側の部分は、樋部の谷部を避けるように設けられているので、樋部に流れ込んだ水が非密着部収納部の上側の部分でせき止められることを防ぐことができる。
【００３５】
請求項１１に記載の発明は、非密着部が設けられた側のシートの縁付近が支持されていることを特徴とする請求項７〜１０のいずれか記載の灌水用チューブの設置構造である。
【００３６】
請求項１１に記載の発明によれば、非密着部が設けられた側のシートの縁付近が支持されているので、非密着部の形状の保持をより確実にすることができる。
【００３７】
横方向に張られて固定された線材を設け、前記線材によってシートの縁付近が支持するようにすることもできる（請求項１２）。
【００３８】
上記の灌水用チューブの設置構造の、灌水用チューブ及び保持部材の設置状態を天地を入れ換えるように反転させたものを採用することができる。
すなわち、請求項１３に記載の発明は、請求項７〜１２のいずれか記載の灌水用チューブの設置構造において、灌水用チューブ及び保持部材の設置状態を、上下の位置が反対となるように反転させて変更したものであり、非密着部は空隙部より上方に位置しており、下部が開放する空間を形成するように非密着部を変形させた状態で保持されていることを特徴とする灌水用チューブの設置構造である。
【００３９】
また、非密着部を空隙部より上方に位置した灌水用チューブの設置構造も採用することができる。
すなわち、請求項１４に記載の発明は、請求項１記載の灌水用チューブを、当該灌水用チューブを横方向にのびるように敷設する灌水用チューブの設置構造であって、非密着部は空隙部より上方に位置している状態で保持されていることを特徴とする灌水用チューブの設置構造である。
【００４０】
請求項１５に記載の発明は、灌水用チューブよりも上側には、シートが設けられていることを特徴とする請求項１３又は１４記載の灌水用チューブの設置構造である。
【００４１】
請求項１５に記載の発明によれば、灌水用チューブよりも上側にはシートが設けられているため、シートの上側からシートの下側に散水することが難しいが、灌水用チューブを用いることにより、シートの下側に容易に散水することができる。
【００４２】
請求項１６に記載の発明は、横方向に張られて固定された線材を備え、前記支持部材又は保持部材にはフックが設けられ、前記支持部材又は保持部材は、フックを前記線材に係合することによって設置されていることを特徴とする請求項１〜５、８〜１５のいずれか記載の灌水用チューブの設置構造である。
【００４３】
請求項１６に記載の発明によれば、支持部材又は保持部材にフックが設けられ、横方向に張られて固定されている線材に、前記フックを係合させることによって支持部材又は保持部材を設置することができるので、灌水用チューブの設置を容易に行うことができる。
【００４４】
請求項１７に記載の発明は、支柱部材を備え、前記支持部材には支柱取付部が設けられ、前記支持部材は、支柱取付部を支柱部材に係合することによって設置されていることを特徴とする請求項１〜５、８〜１５のいずれか記載の灌水用チューブの設置構造である。
【００４５】
請求項１７に記載の発明によれば、支持部材は支柱取付部が設けられ、支柱取付部を支柱に取り付けて固定しているので灌水用チューブの設置を容易に行うことができる。
【００４６】
また、植物が植生された場所で、灌水用チューブを敷設することもできる。
すなわち、長手方向にのびる２列以上の密着部が設けられる灌水用チューブを使用し、灌水用チューブの一方の密着部を天方向に位置させ、他方の密着部を地方向に位置する状態で植物によって支持し、灌水用チューブを中空位置で横方向にのびるように敷設し、前記灌水用チューブは、密着部が天地方向となる姿勢に支持された状態で横方向にのびるように敷設する（請求項１８）。
【発明の効果】
【００４７】
本発明の灌水用チューブの設置構造によれば、灌水用チューブのたるみを防止することができる。そのため、散水パターンが一定であり、作物に対して過不足無く灌水することができる。
【００４８】
また、本発明の灌水用チューブの非密着部を用いることによって散水孔からシート表面を伝って滴り落ちる水の落下を防ぐことができる。さらに、滴り落ちる水を非密着部によって他所へ排出させて、地表に水たまりを発生させないようにし、かびの発生や、農作物などの病気を防ぐことができる。
そして、灌水用チューブの非密着部の上にシートを設けた場合には、このシートと灌水用チューブとの溶着を防ぎ、散水孔の閉塞を防止することができる。
【発明を実施するための最良の形態】
【００４９】
以下さらに本発明の具体的実施例について説明する。
図１は、本発明の第１の実施形態の灌水用チューブの設置構造を示す全体図である。図２は、灌水用チューブを示す図であり、（ａ）は通水しない状態の断面図、（ｂ）は通水した状態の断面図である。図３は、（ａ）は通水しない状態の灌水用チューブの設置構造を示す要部の拡大斜視図であり、（ｂ）は着脱部を拡大した図である。図４は支持部材を示す図であり、（ａ）は正面図、（ｂ）は側面図である。図５は支持部材の使用方法の変形例を示す正面図である。図６は、通水した状態の灌水用チューブの設置構造を示す要部の拡大斜視図である。図７は支持部材の変形例を示した斜視図である。
【００５０】
本発明の第１の実施形態の灌水用チューブの設置構造１は、図１に示されており、灌水用チューブ１０、支持部材１１を有している。なお、図１においては、灌水用チューブ１０と、後述する配管９２やジョイント９４等は離れているが、実際の使用時にはもちろんこれらが接続される。
【００５１】
図１に示されるように、灌水用チューブの設置構造１では、灌水用チューブ１０は横方向（水平方向）にのびるように設置されており、この灌水用チューブ１０は、複数の支持部材１１によって支持されている。
【００５２】
灌水用チューブ１０は、図２（ａ）、図３（ａ）に示されるように、厚み及び幅がほぼ一定の２枚の長尺状のシート２０、２１を素材とし、このシート２０、２１を重ね合わせた状態で長尺方向に２列に密着部２２、２３を設けたものである。密着部２２、２３はシート２０、２１の縁４１、４２付近に設けられている。密着部２２、２３は、連続して途切れていない。すなわち密着部２２、２３はシート２０，２１の幅方向の両端部に設けられており、長手方向にのびる。
灌水用チューブ１０は、二列に設けられた密着部２２、２３に挟まれて形成される空隙部２５に通水される。
【００５３】
本実施形態のシート２０、２１の幅は、約４０ｍｍであり、厚みは、約０．５ｍｍのものが用いられているが、幅や厚みは任意であり、用途によって適当なものを選定することができ、厚みを０．１〜３．０ｍｍ程度にすることができる。
【００５４】
また、シート２０、２１は変形が可能な合成樹脂が用いられており、本実施形態ではポリエチレンが用いられているが、他の樹脂やその他の材料を用いることができ、例えば、ポリ塩化ビニル、ポリ塩化ビニリデン、ポリアミド、ポリエステル等の熱可塑性樹脂、天然ゴム、合成ゴム、又はエラストマー等を挙げることができる。これら材料は、適宜単独で又は組み合わせて選択される。なお、必要に応じてこれら材料には、紫外線防止剤、抗酸化剤、着色剤、その他の添加剤を含有させることができる。
【００５５】
さらに、図２（ｂ）に示されるように、灌水用チューブ１０に通水すると、通水時の水圧によってシート２０、２１が密着部２２、２３を維持した状態で変形して膨らみ、内部に断面円形の空洞２６が形成される。
【００５６】
密着部２２、２３の形成は、シート２０、２１の両端同士を部分的に加熱溶融して行う、いわゆるヒートシールによって行われるが、この方法に限定されるものでなく、他の方法によって形成しても良い。
【００５７】
また、上記の灌水用チューブ１０は、２枚のシート２０、２１を用いて製造されるものであったが、１枚のものによって密着部２２、２３を有するものを製造することができる。例えば、インフレーション成形によって筒状に成形したものを押しつぶすような状態にし、両端の折り曲げ部分をヒートシールなどで密着させ、図２に示されるような構造と同様な構造とすることができる。また、別の方法として、１枚のシートを折り曲げて、折り曲げ部分と、両側の縁が重なった付近をヒートシールなどで密着させてもよい。
【００５８】
また、灌水用チューブ１０の一方のシート２０には散水孔２７が形成されている。散水孔２７は、シート２０の内外を連通する孔であって、密着部２２、２３同士の間に設けられており、空洞２６（空隙部２５）内の水を外部に放出することができる。
【００５９】
散水孔２７の形成方法は、レーザ光の照射などによって行うことができる。具体的な方法は、特許文献１に開示されているので省略する。
【００６０】
支持部材１１は図１に示されるように、所定の間隔（例えば１ｍ間隔）に複数設けられており、灌水用チューブ１０を支持している。また、支持部材１１は、上部に設けられた吊り下げ線（線材）１３に吊り下げられている。
吊り下げ線１３にはロープや金属線などが用いられ、吊り下げ線１３の両端は灌水用チューブ１０の吊り下げに耐える程度の強度を有する構造物などに固定されている。
【００６１】
支持部材１１は、図３、図４に示されるように十字状の板状の部材であり、リング状部４９を備え、当該リング状部４９の外周部に４個の突出部３５、３６、３７、３８が設けられている。前記した４個の突出部３５、３６、３７、３８は、９０°置きに設けられ、４方向に突出するものである。
そして、前記した４個の突出部３５、３６、３７、３８の内、特定の突出部３５は他の突出部３６、３７、３８に比べて長い。またこの突出部３５にフック３１が設けられ、この突出部３５に対向する突出部３７にもフック３０が設けられている。
【００６２】
本実施形態の灌水用チューブの設置構造１では、図３に示すように、フック３０を吊り下げ線（線材）１３に係合し、支持部材１１を吊り下げ線１３に吊り下げている。なお、吊り下げ線１３からさらに低い位置に灌水用チューブ１０を設置する場合には、他方のフック３１を用いて吊り下げる。
さらに図５に示されるように２本の吊り下げ線１３を用いて、図３に示す状態から９０°回転させた状態で吊り下げることもできる。
【００６３】
また支持部材１１には、チューブ収納部３２が設けられている。チューブ収納部３２は、支持部材１１の中央付近に配置している略円形の空間である。すなわち支持部材１１は、リング状部４９を有し、その中央にチューブ収納部３２が設けられている。
そして支持部材１１には、チューブ収納部３２から各突出部３５、３６、３７、３８に向かってのびる凹部４５、４６、４７、４８が形成されている。
凹部４５と凹部４７、また、凹部４６と凹部４８とは、対向する位置にある。
【００６４】
凹部４５、４６、４７、４８のチューブ収納部３２側の、開放部４５ａ、４６ａ、４７ａ、４８ａはチューブ収納部３２の中心を向いている。そのため、凹部４５と凹部４７、或いは、凹部４６と凹部４８とを用いて、通水しない状態の灌水用チューブ１０の密着部２２、２３を保持することができる。また、通水して膨らんだ状態の灌水用チューブ１０の全体を、リング状部４９のチューブ収納部３２で保持することができる。
【００６５】
チューブ収納部３２や凹部４５、４６、４７、４８の形状、大きさは、灌水用チューブ１０に合致している。具体的には、チューブ収納部３２の大きさは、通水時の灌水用チューブ１０よりも幾分大きい形状であり、また、凹部４５の底部４５ｂと凹部４７の底部４７ｂとの距離や、凹部４６の底部４６ｂと凹部４８の底部４８ｂとの距離は、通水しないときの灌水用チューブ１０の幅よりも幾分長い。
【００６６】
また、支持部材１１のリング状部４９には、チューブ収納部３２を開放して、灌水用チューブ１０のチューブ収納部３２への挿入を容易にすることができる着脱部４０が設けられている。
着脱部４０は、図３（ｂ）に示されるように、係止部４０ａと係止部４０ｂとによって構成されている。ここで係止部４０ａは、円形の孔内に直線状の棒状部４０ｃが設けられたものであり、リング状部４９の一辺４９ａに形成されている。
一方、係止部４０ｂは、円形の突起内に直線状の溝部４０ｄが設けられたものであり、リング状部４９の他の一辺４９ｂに形成されている。
前記した係止部４０ａと係止部４０ｂは、互いに係合して二つの４９ａ，ｂを接続し、リング状部４９を環状に繋ぐ。
一方、図４（ｂ）の二点鎖線に示すように係止部４０ａと係止部４０ｂとの係合を外して着脱部４０を開放すると、リング状部４９の一部に開放部分が形成される。そのため着脱部４０を開放することにより、灌水用チューブ１０の中途部分から当該灌水用チューブ１０をチューブ収納部３２へ入れることができ、支持部材１１を後から追加したり、設置後に支持部材１１を取り外すことができる。
【００６７】
支持部材１１は、一般に樹脂製のものが用いられるが、金属などの他の材料を用いることもできる。
【００６８】
支持部材１１によって灌水用チューブ１０を支持する際には、チューブ収納部３２に灌水用チューブ１０の全体を入れる。このときの灌水用チューブ１０の姿勢は、図３に示されるように、シート２０、２１がいずれも垂直姿勢であり、一方の密着部２２を天方向に位置させ、他方の密着部２３を地方向に位置させる。すなわち灌水用チューブ１０を縦姿勢にして支持部材１１のチューブ収納部３２に装着する。
【００６９】
そして設置された状態で上下方向に設けられた凹部４５、４７に、灌水用チューブ１０の縁４１、４２に設けられている密着部２２、２３を入れて保持する。すなわち設置された状態で上方に位置する凹部（天側支持部）４７に一方の密着部２２を装着し、下方に位置する凹部（地側支持部）４５に他方の密着部２３を装着する。
なお灌水用チューブ１０と支持部材１１との固定は行わない。
【００７０】
灌水用チューブ１０をチューブ収納部３２内に入れる際には、上記した着脱部４０を外して行う。そして灌水用チューブ１０の挿入が完了すると、再び着脱部４０を係合する。本実施形態では、係止部４０ａと係止部４０ｂとの係合を外してリング状部４９の一部に開放部分が形成することができるので、灌水用チューブ１０の挿入が容易である。また着脱部４０を係合することによってリング状部４９が環状に繋がるので、相当の剛性が期待できる。
【００７１】
また、図５に示されるように２本の吊り下げ線１３を用い、支持部材１１を図３に示す状態から９０°回転させた状態で用いる場合には、灌水用チューブ１０の保持には凹部４６、４８が用いられる。
図５に示すように支持部材１１を横姿勢にして使用する場合には、凹部４６が天側支持部として機能し、凹部４８が地側支持部として機能する。
【００７２】
本実施形態の灌水用チューブの設置構造１では、灌水用チューブ１０の姿勢が縦置きとなり、灌水用チューブ１０のシート幅が上下方向（高さ方向）となるため、自重や内部に残留する水の重みによる撓みが起こりにくく、たるみが偏って灌水用チューブ１０が移動することがない。また、支持部材１１と灌水用チューブ１０との固定を行わないので、灌水用チューブ１０の設置作業を容易に行うことができる。
【００７３】
そして図１に示されるように、水を送り込むためのポンプ９０や、灌水用チューブ１０に送り込む水に混入しているゴミなどを取り除くフィルター９１を有する配管９２と、灌水用チューブ１０の一方とを接続して、散水が行われる。また、必要に応じて、灌水用チューブ１０の他方にバルブ９３を設けて、内部のゴミなどを取り除くこともでき、さらに、２本の灌水用チューブ１０をつなぐジョイント９４を設けることができる。
【００７４】
ポンプ９０を作動させ、配管９２を通じて灌水用チューブ１０に通水すると、灌水用チューブ１０は、図２（ｂ）や図６に示されるように、空隙部２５内に水が満たされ、空隙部２５が膨らんで断面形状が円形となる。
そして空隙部２５内の水圧が上昇し、内部を流れる水が散水孔２７から放出される。また、散水孔２７の壁面２７ａによって、放出される水の勢いが低下して、灌水用チューブ１０近傍や高さの低い空間にも散水が可能となる。
なお、密着部２２、２３は途切れずに連続しているので、この部分から水が漏れることが無く、供給された水は散水孔２７から放出される。
【００７５】
また、上記した支持部材１１の代わりに、図７に示されるような支持部材２４を用いることができる。支持部材２４は、支持部材１１と比較して、突出部３６、３８が設けられていないものであり、上下方向に伸びる突出部３５、３７を有している。また、突出部３７にはフック３０が設けられている。また、突出部３５、３７には凹部４５、４７を有している。
そして、支持部材２４にはリング状部４９を有し、その中央にチューブ収納部３２が設けられている。
【００７６】
支持部材２４によって灌水用チューブ１０を支持する際には、支持部材１１を用いる場合と同様であり、具体的には、チューブ収納部３２に灌水用チューブ１０の全体を入れ、灌水用チューブ１０の、一方の密着部２２を天方向に位置させ、他方の密着部２３を地方向に位置させる。すなわち灌水用チューブ１０を縦姿勢にして支持部材２４のチューブ収納部３２に装着する。そして、フック３０を吊り下げ線１３に係合し、支持部材１１を吊り下げ線１３に吊り下げる。
なお灌水用チューブ１０と支持部材２４との固定は行わない点は、支持部材１１を用いる場合と同様である。
【００７７】
灌水用チューブ１０をチューブ収納部３２内に入れる際には、挿入部２９を用いて行う。挿入部２９は、リング状部４９の一部が切れた部分であり、灌水用チューブ１０を外部からチューブ収納部３２へ挿入することができる。
【００７８】
このように、支持部材２４は上記した支持部材１１と同様に、灌水用チューブ１０を支持することができる。また、支持部材２４は支持部材１１よりも簡単な構造であるので、容易に製造することができる。
【００７９】
次に、本発明の第２の実施形態の灌水用チューブの設置構造２について説明する。
図８は、本発明の第２の実施形態の灌水用チューブの設置構造を示す全体図である。図９は、通水しない状態の灌水用チューブの設置構造を示す要部の拡大斜視図及び連結部の拡大斜視図である。図１０は、通水した状態の灌水用チューブの設置構造を示す要部の拡大斜視図である。図１１は支持部材を示す図であり、（ａ）は正面図、（ｂ）は上面図である。
【００８０】
灌水用チューブの設置構造２は、図８に示されており、灌水用チューブ１０、支持部材５１を有している。
【００８１】
灌水用チューブの設置構造２に用いられる灌水用チューブ１０は、上記した第１の実施形態で用いられるものと同じものが用いられる。
【００８２】
支持部材５１は、図９乃至図１１に示されており、固定部５３と支柱取付部５４とを有している。なお支持部材１１は、樹脂製のものを用いているが、金属などの他の材料を用いることもできる。
【００８３】
支柱取付部５４は、支柱５２に取り付けることができる部材であり、支柱挿入部５４ａと、連結部５４ｂを有している。支柱挿入部５４ａは、図１１に示されるように、半円筒の端部を延長したような形状であり、背面側に縦方向にのびるスリット５４ｃが設けられている。また半円筒部分の内径は支柱５２の外径よりもやや小さく、スリット５４ｃから支柱５２に圧入して支柱取付部５４を支柱５２に取り付ける。
また本実施形態では、支柱取付部５４の長手方向の中間部に、金属線材で形成されたＣリング７０が装着されており、スリット５４ｃの開閉弾性がＣリング７０によって補強されている。
【００８４】
連結部５４ｂは、支柱取付部５４のスリット５４ｃとは反対側（図１０（ａ）を基準として左側）に突出している部分であり、支柱取付部５４の長手方向の中心を外れた位置に設けられている。
連結部５４ｂの内側には凹部５５が設けられている。凹部５５の形状は、図９（ｂ）の通りであり、図９（ａ）を基準として側面側と正面側が開口し、正面側から支柱取付部５４の内側に至る溝形状である。凹部５５の支柱取付部５４側の部位は、やや拡径されており、段部５５ａが形成されている。
【００８５】
固定部５３は、突起部５３ａとチューブ支持部５３ｂが設けられた部材である。突起部５３ａは、支柱取付部５４の連結部５４ｂの凹部５５に挿入される部分であり、固定部５３と支柱取付部５４とを連結することができる。すなわち突起部５３ａは、端部に四角形の先端フランジ５３ｃが設けられ、根元部に根元フランジ５３ｄが設けられている。また先端フランジ５３ｃと根元フランジ５３ｄとは連接部５３ｅで接続されている。
そして固定部５３の突起部５３ａは、前記した支柱取付部５４側の連結部５４ｂに設けられた凹部５５に挿入される。すなわち図９（ａ）のように突起部５３ａの先端フランジ５３ｃと根元フランジ５３ｄによって、連結部５４ｂの正面部５４ｄと段部５５ａが挟み込まれ、固定部５３の突起部５３ａと支柱取付部５４の連結部５４ｂが係合して固定部５３が支柱取付部５４に取り付けられる。
【００８６】
またチューブ支持部５３ｂには、半円状のチューブ収納部５６が設けられ、チューブ収納部５６の上側及び下側に凹部５７、５８が設けられている。なお本実施形態では、上側の凹部５７が天側支持部として機能し、下側の凹部５８が地側支持部として機能する。
またチューブ収納部５６はアーム部として機能する。言い換えると、本実施形態の支持部材５１は、天側支持部たる上側の凹部５７と、地側支持部たる下側の凹部５８を有する。そして天側支持部たる上側の凹部５７と、地側支持部たる下側の凹部５８は、アーム部たるチューブ収納部５６によって接続されている。
またアーム部たるチューブ収納部５６は、略「Ｃ」形状であり、一部が欠落していて当該欠落部から灌水用チューブ１０を挿入可能である。
【００８７】
また本実施形態では、凹部５７と凹部５８とは、対向する位置にある。
凹部５７、５８のチューブ収納部５６側に形成された開放部５７ａ、５８ａはチューブ収納部５６の中心を向いている。そのため、凹部５７と凹部５８によって灌水用チューブ１０の密着部２２、２３を保持することができる。また、通水して膨らんだ状態の灌水用チューブ１０の全体を、チューブ収納部５６で保持することができる。
【００８８】
チューブ収納部５６や凹部５７、５８の形状、大きさは、灌水用チューブ１０に合わせている。具体的には、チューブ収納部５６の半径は、通水時の灌水用チューブ１０の半径よりもやや長く、また、凹部５７の底部５７ｂと凹部５８の底部５８ｂとの距離は、通水しないときの灌水用チューブ１０の幅よりもやや長い。
【００８９】
そして、本発明の第２の実施形態の灌水用チューブの設置構造２は、図８に示すように、所定の間隔で設けられた支柱５２に支持部材５１が取り付けられ、支持部材５１によって灌水用チューブ１０を支持する。
なお本実施形態では、チューブ収納部５６は、支柱取付部５４の長手方向中心部を外れた位置にあり、支持部材５１は、図１０のようにチューブ収納部５６が支柱取付部５４の上部側に寄った姿勢で支柱５２に取り付けられているが、支持部材５１を天地逆方向に取り付けてもよい。
【００９０】
支持部材５１によって灌水用チューブ１０を支持する際には、チューブ収納部５６に入れて行われる。このときの灌水用チューブ１０の姿勢は、先の実施形態と同様に縦姿勢であり、図９に示されるように、シート２０、２１の一方の密着部２２を天方向に位置させ、他方の密着部２２を地方向に位置させる。
【００９１】
そして上下方向にのびる凹部５７、５８に、灌水用チューブ１０の縁４１、４２に設けられている密着部２２、２３を挿入してこれらを保持する。このとき灌水用チューブ１０と支持部材５１との固定は行わない。
【００９２】
本実施形態の灌水用チューブの設置構造２においても、灌水用チューブ１０の姿勢が縦置きとなり、灌水用チューブ１０のシート幅が上下方向（高さ方向）となるため、自重や内部に残留する水の重みによる撓みが起こりにくく、たるみが偏って灌水用チューブ１０が移動することがない。また、支持部材５１と灌水用チューブ１０との固定を行わないので、灌水用チューブ１０の設置作業を容易に行うことができる。
【００９３】
そして、上記した第１の実施形態の灌水用チューブの設置構造１と同様に、水を送り込むためのポンプ９０や、灌水用チューブ１０に送り込む水に混入しているゴミなどを取り除くフィルター９１を有する配管９２と、灌水用チューブ１０の一方とを接続して、散水が行われる。また、必要に応じて、灌水用チューブ１０の他方にバルブ９３を設けて、内部のゴミなどを取り除くこともでき、さらに、２本の灌水用チューブ１０をつなぐジョイント９４を設けることができる。
【００９４】
ポンプ９０を作動させ、配管９２を通じて灌水用チューブ１０に通水すると、灌水用チューブ１０は、図１０に示されるように、空隙部２５が大きく膨らみ、内圧が上昇して散水孔２７から散水される。また、散水孔２７の壁面２７ａによって、放出される水の勢いが低下して、灌水用チューブ１０近傍や高さの低い空間にも散水が可能となる。
【００９５】
灌水用チューブの設置構造１、２で使用する灌水用チューブ１０は、前記したように２枚のシート２０、２１を重ね合わせたものが推奨されるが、１枚のシートを折り曲げたものでもよい。
また上記した実施形態では、密着部２２、２３は、シート２０、２１の縁４１、４２付近に設けられているが、シート２０、２１の縁から内側に寄った位置に形成しても良い。かかる場合には、凹部４５、４６、４７、４８、５７、５８によって保持される部分は密着部２２、２３の外側となる。
【００９６】
次に、植物が植えられている場所（畑、農園等）で、灌水用チューブ１０を設置する本発明の第３、第４、第５の実施形態の灌水用チューブの設置構造３、４、５について説明する。
図１２は、本発明の第３の実施形態の灌水用チューブの設置構造を示す斜視図である。図１３は、本発明の第４の実施形態の灌水用チューブの設置構造を示す斜視図である。図１４は、枝と灌水用チューブの位置関係を示した模式図であり、（ａ）は第３の実施形態の灌水用チューブにおける通水しない状態を示した図であり、（ｂ）は（ａ）の灌水用チューブに通水した状態を示した図であり、（ｃ）は比較例を示した図である。図１５は本発明の第５の実施形態の灌水用チューブの設置構造を示す斜視図である。図１６は本発明の第５の実施形態の灌水用チューブの設置構造を示す側面図である。
なお、灌水用チューブの設置構造３、４、５においては、灌水用チューブ１０は、上記実施形態で説明したものと同じものが用いられる。
【００９７】
図１２は、第３の実施形態の灌水用チューブの設置構造３を示したものであり、茶の木１００が植えられている場所に灌水用チューブ１０を敷設している。そして、図１２（ｂ）や図１４（ａ）、（ｂ）に示されるように、灌水用チューブの設置構造３の灌水用チューブ１０は、茶の木の枝１０１によって支えられており、また、灌水用チューブ１０の状態は、一方の密着部２２は天方向に位置し、他方の密着部２３は地方向に位置して、密着部２２、２３が天地方向となる姿勢で支持されている。
【００９８】
また、灌水用チューブの設置構造３では、図１２（ａ）に示されるように、灌水用チューブ１０と茶の木１００を覆うように、シート１０２が設けられている。そして、シート１０２によって内側の乾燥を防ぎつつ、灌水用チューブ１０を用いて散水することできる。
【００９９】
灌水用チューブの設置構造３では、密着部２２、２３を天地方向となる姿勢で設置されるので、密着部２２、２３が水平方向となる状態で灌水用チューブ１０が設置される場合に比べて、灌水用チューブ１０の設置を容易に行うことができる。
【０１００】
すなわち、茶の木１００の枝１０１は、分岐しながら上方向に伸びることが多いので、枝１０１が密集して枝１０１同士の間が狭くなる。そして、本実施形態の灌水用チューブの設置構造３を設置する場合（通水されない状態）では、図１４（ａ）に示されるように、密着部２２、２３が天地方向となる姿勢であるので、水平方向の幅が狭い場合にも灌水用チューブ１０を無理なく設置することができる。また、設置後に散水する場合（灌水用チューブ１０に通水される場合）には、図１４（ｂ）に示されるように、灌水用チューブ１０は、その幅に応じて枝１０１を押し広げて散水が可能となる。
【０１０１】
しかしながら、図１４（ｃ）に示されるように、灌水用チューブ１０を茶の木１００の枝１０１に配置する場合に、密着部２２、２３が水平方向（横方向）となる姿勢では、設置しにくい。これは、茶の木１００の枝１０１は水平方向の幅が狭く、密着部２２、２３を水平方向（横方向）となる姿勢では灌水用チューブ１０を設置することが難しく、また、このような状態で無理に設置すると、灌水用チューブ１０が変形したり折れ曲がったりしてしまうからである。
【０１０２】
そして、灌水用チューブの設置構造３では、上記の灌水用チューブの設置構造１、２と同様に、灌水用チューブに通水しない場合には密着部２２、２３が天地方向となる姿勢であるので、自重などによる撓みを小さくすることができる。
【０１０３】
また、灌水用チューブの設置構造３は灌水用チューブ１０を１本設けたものであるが、図１３に示される第４の実施形態の灌水用チューブの設置構造４のように、灌水用チューブ１０を平行に２本設けることもできる。
【０１０４】
さらに、図１５、図１６に示される第５の実施形態の灌水用チューブの設置構造５について説明する。灌水用チューブの設置構造５が設けられる場所は梨の木１０８が植えられている梨園であり、この梨園に灌水用チューブ１０が設置される。
灌水用チューブの設置構造５には吊り下げ線１１３が設けられ、この吊り下げ線１１３は、図１５に示されるように、水平方向（地面と平行）であって、互いにほぼ垂直となるように２方向の向きで、全体に張り巡らされている。
【０１０５】
そして、この吊り下げ線１１３は、支柱１１５によって支えられているものであり、棚１１４と呼ばれるものを形成する。そして、梨の木１０８の枝１１７は、誘引と呼ばれる作業によって、吊り下げ線１１３によって形成された棚１１４に沿って伸びるようにし、梨の木１０８の枝１１７に実る果実１１１の重みなどによって植物の枝部１１０が折れないようにすることができる。また、このようにすることにより、果実１１１の実る位置がほぼ一定の高さとすることができるので、果実１１１の収穫作業をしやすくすることができる。
【０１０６】
そして、灌水用チューブの設置構造５では、上記したフック３０を有する支持部材１１を用い、フック３０を吊り下げ線１１３に係合して、灌水用チューブ１０を設置する。したがって、灌水用チューブ１０の位置は、棚１１４よりも下側に位置することとなる。
灌水用チューブの設置構造５では、吊り下げ線１１３によって枝１１７を誘引する棚１１４を形成するものである。そのため、吊り下げ線１１３により、枝１１７を誘引と、支持部材１１を吊り下げとを兼用することができる。そして、梨園などでは、通常、棚１１４が設けられており、この棚１１４に用いられる吊り下げ線１１３を使用して、灌水用チューブの設置構造５を製作することができる。
【０１０７】
また、梨園に散水する場合には、果実１１１に水がかかると果実１１１の品質を低下させるおそれがあるが、本実施形態では、図１６に示されるように、灌水用チューブ１０は棚１１４の下側に配置されることとなる。そして、灌水用チューブ１０から散水される水が下向きに噴射されるように設置して、散水された水が、果実１１１にかからないようにすることができる。
【０１０８】
次に、非密着部６０が設けられた灌水用チューブを用いた灌水用チューブの設置構造について説明する。
図１７は、本発明の第６の実施形態の灌水用チューブの設置構造を示す全体図である。
図１８は、灌水用チューブを示す図であり、（ａ）は通水しない状態の断面図、（ｂ）は通水した状態の断面図である。図１９（ａ）は通水しない状態の灌水用チューブの設置構造を示す要部の拡大斜視図であり、（ｂ）は着脱部を拡大した図である。図２０は、通水した状態の灌水用チューブの設置構造の要部の拡大斜視図である。図２１は保持部材を示す図であり、（ａ）は正面図、（ｂ）は側面図である。
【０１０９】
図１７には、本発明の第６の実施形態の灌水用チューブの設置構造６が示されている。そして、灌水用チューブの設置構造６は灌水用チューブ１０と保持部材１４とを有している。なお、図１７においては、灌水用チューブ１０と、後述する配管９２やジョイント９４等は離れているが、実際の使用時にはもちろんこれらが接続される。
【０１１０】
図１７に示されるように、灌水用チューブの設置構造６では、灌水用チューブ１０は横方向（水平方向）にのびるように設置されている。そして、灌水用チューブ１０は複数の保持部材１４によって、地面から所定の高さに位置するように中空状態で支持されている。
【０１１１】
灌水用チューブ１０は、図１８（ａ）、図１９（ａ）に示されるように、厚み及び幅がほぼ一定の２枚の長尺状のシート２０、２１を素材とし、このシート２０、２１を重ね合わせた状態で長尺方向に２列に密着部２２、２３を設けたものである。
【０１１２】
一方の密着部２２はシート２０、２１の一方の縁３９付近に設けられている。また、他方の密着部２３は、シート２０、２１の他方の縁４１よりも内側に設けられており、密着部２３と他方の縁４１の間は密着しておらず、非密着部６０を有している。また、密着部２２、２３は、長尺方向に途切れていない。すなわち密着部２２、２３はシート２０，２１の幅方向の両端部に設けられており、長手方向にのびる。
灌水用チューブ１０は、二列に設けられた密着部２２、２３に挟まれて形成される空隙部２５に通水される。
【０１１３】
本実施形態のシート２０、２１の幅や厚みは、任意であり、用途によって適当なものを選定することができる。そして、非密着部６０の幅を全体の幅の約２／３程度とし、非密着部６０の長さを、灌水用チューブ１０の空隙部２５の円周の長さと同じにすることができる。
そして、例えば、シート２０、２１の幅が約１２０ｍｍ、厚みが約０．５ｍｍのものが用いることができ、厚みを０．１〜３．０ｍｍ程度にすることができる。
【０１１４】
また、シート２０、２１は変形が可能な合成樹脂が用いられており、本実施形態ではポリエチレンが用いられているが、他の樹脂やその他の材料を用いることができ、例えば、ポリ塩化ビニル、ポリ塩化ビニリデン、ポリアミド、ポリエステル等の熱可塑性樹脂、天然ゴム、合成ゴム、又はエラストマー等を挙げることができる。これら材料は、適宜単独で又は組み合わせて選択される。なお、必要に応じてこれら材料には、紫外線防止剤、抗酸化剤、着色剤、その他の添加剤を含有させることができる。
さらに、図１８（ｂ）に示されるように、灌水用チューブ１０に通水すると、通水時の水圧によってシート２０、２１が密着部２２、２３を維持した状態で変形し、内部に断面円形の空隙部２５が形成される。
【０１１５】
密着部２２、２３の形成は、シート２０、２１同士を部分的に加熱溶融して行う、いわゆるヒートシールによって行われるが、この方法に限定されるものでなく、他の方法によって形成しても良い。
【０１１６】
また、上記の灌水用チューブ１０は、２枚のシート２０、２１を用いて製造されるものであったが、１枚のものによって製造しても良い。例えば、１枚のシートを折り曲げて、折り曲げ部分と、このシートの縁以外の部分との２ヵ所で、ヒートシールなどで密着させて、密着部２２、２３及び非密着部６０を形成するようにしても良い。
【０１１７】
また、灌水用チューブ１０のシート２０には散水孔２７が形成されている。散水孔２７は、シート２０の内外を貫通する孔であって、密着部２２、２３同士の間に設けられており、空隙部２５内の水を外部に放出することができる。
【０１１８】
散水孔２７の形成方法は、レーザ光の照射などによって行うことができる。具体的な方法は、特許文献１に開示されているので省略する。
【０１１９】
保持部材１４は図１７に示されるように、所定の間隔（例えば１ｍ）に複数設けられており、灌水用チューブ１０を支持している。また、保持部材１４は、上部に設けられた吊り下げ線（線材）１３に吊り下げられている。
吊り下げ線１３はロープや金属線などが用いられ、吊り下げ線１３の両端は灌水用チューブ１０の吊り下げに耐える程度の強度を有する構造物などに固定されている。
【０１２０】
保持部材１４は、図１９〜図２１に示されるように板状の部材であり、リング状部１４９を備え、当該リング状部１４９の外周部に４個の突出部３５、３６、３７、３８が設けられ、さらに、下方に設けられる突出部３７は２方向に分岐している。４個の突出部３５、３６、３７、３８は９０°置きに設けられ、４方向に突出している。
下方に設けられる突出部３７は下側にのび、途中で分岐して左上側及び右上側に向かってのび、下向きに向いている矢印のような形状であり、左分岐部３７ｂと右分岐部３７ｃとが設けられている。
【０１２１】
また、保持部材１４には、チューブ収納部３２が設けられている。チューブ収納部３２は、保持部材１４の中央付近に配置している略円形の空間である。すなわち保持部材１４は、リング状部１４９を有し、その中央にチューブ収納部３２が設けられている。
そして、チューブ収納部３２から各突出部３５、３６、３７、３８に向かって延びる、スリット１４５、１４６、１４７、１４８が形成されている。スリット１４５とスリット１４７、また、スリット１４６とスリット１４８とは、対向する位置に設けられている。
【０１２２】
また、下方に設けられるスリット１４７は、突出部３７の突出方向に沿うように設けられ、途中で分岐して左上側及び右上側（図２１（ａ）を基準）に向かって延びている。そして、スリット１４７には、下方に延びて分岐部３３ａに至るスリット部１４７ａと、スリット部１４７ａと分岐部３３ａで接続して左上側に延びるスリット部１４７ｂと、スリット部１４７ａと分岐部３３ａで接続して右上側に延びるスリット部１４７ｃとが設けられている。
スリット部１４７ｂの終点３３ｂと、スリット部１４７ｃの終点３３ｃとの上下方向の位置は、ほぼ同じであって、分岐部３３ａの位置よりも上側に設けられている。
【０１２３】
また、保持部材１４のフック３０は、上側に設けられる突出部３５の先端付近に設けられている。
そして、本実施形態の灌水用チューブの設置構造６では、図１９に示すように、フック３０を用いて保持部材１４を吊り下げ線１３に吊り下げている。
【０１２４】
スリット１４５、１４７のチューブ収納部３２側の、開放部１４５ａ、１４７ｄはチューブ収納部３２の中心を向いている。そのため、スリット１４５とスリット１４７とを用いて、通水しない状態の灌水用チューブ１０の密着部２２、２３を保持することができる。また、通水して膨らんだ状態の灌水用チューブ１０の全体を、リング状部１４９のチューブ収納部３２で保持することができる。
【０１２５】
チューブ収納部３２やスリット１４５、１４７の形状、大きさは、灌水用チューブ１０の大きさに合わせられている。具体的には、チューブ収納部３２の大きさは、通水時の灌水用チューブ１０の空隙部２５付近よりも大きい形状である。
また、スリット１４５の大きさは、密着部２２よりも大きい。そして、開放部１４７ｄから分岐部３３ａを経由して終点３３ｂ、３３ｃに至る長さは、非密着部６０の長さよりも長く、スリット１４７に２枚の非密着部６０を収納することができ、スリット１４７が非密着部収納部７９となる。
【０１２６】
また、保持部材１４のリング状部１４９には、チューブ収納部３２を開放して、灌水用チューブ１０のチューブ収納部３２へ入れる際に容易にすることができる着脱部４０が設けられている。
着脱部４０は、図１９（ｂ）に示されるように、係止部４０ａと係止部４０ｂとによって構成されている。ここで係止部４０ａは、円形の孔内に直線状の棒状部４０ｃが設けられたものであり、リング状部１４９の一辺１４９ａに形成されている。
一方、係止部４０ｂは、円形の突起内に直線状の溝部４０ｄが設けられたものであり、リング状部１４９の他の一辺１４９ｂに形成されている。
前記した係止部４０ａと係止部４０ｂは、互いに係合して二つの辺１４９ａ，１４９ｂを接続し、リング状部１４９を環状に繋ぐ。
また、図２１（ｂ）の二点鎖線に示すように係止部４０ａと係止部４０ｂとの係合を外して着脱部４０を開放すると、リング状部１４９の一部に開放部分が形成される。そのため着脱部４０を開放することにより、灌水用チューブ１０の中途部分から当該灌水用チューブ１０をチューブ収納部３２へ入れることができ、支持部材１１を後から追加したり、設置後に支持部材１１を取り外すことができる。
【０１２７】
保持部材１４は、一般に樹脂製のものが用いられるが、金属などの他の材料を用いることもできる。
【０１２８】
保持部材１４によって灌水用チューブ１０を保持する際には、チューブ収納部３２に灌水用チューブ１０の全体を入れる。このときの灌水用チューブ１０の姿勢は、図１９（ａ）に示されるように、シート２０、２１がいずれも垂直姿勢であり、一方の密着部２２を上方向に位置させ、他方の密着部２３を下方向に位置させる。すなわち灌水用チューブ１０を縦姿勢にして支持部材１１のチューブ収納部３２に装着する。
【０１２９】
また、非密着部６０は、非密着部収納部７９であるスリット１４７に位置させる。そのため、非密着部６０は、スリット１４７の形に合わせた形に変形し、この状態で非密着部６０は保持される。そして、一方のシート２０はスリット部１４７ｃに、他方のシート２１の非密着部６０はスリット部１４７ｂに配置させて、それぞれのシート２０、２１の縁４１を横方向に張り出す状態とする。
【０１３０】
非密着部６０がスリット１４７に保持されているので、灌水用チューブ１０の縁４１側が上方に向かうような形状で保持される。そのため、非密着部６０は、上部が開放する空間を形成して、樋部６５が形成される。樋部６５は樋のような形状であり、長手方向にのびており、空隙部２５よりも下側に配置している。したがって、散水孔２７から噴出されず滴り落ちた水は、シート２０表面を伝わって樋部６５に至り、落下を阻止する。
さらに、灌水用チューブ１０を長手方向に対していずれかの方向に傾斜を付けるように設置することにより、樋部６５に流れ込んだ水を、灌水用チューブ１０の長手方向の端に向かって誘導することができる。
なお灌水用チューブ１０と支持部材１１との固定は行わない。
【０１３１】
本実施形態の灌水用チューブの設置構造６では、灌水用チューブ１０の姿勢が縦置きとなり、灌水用チューブ１０のシート幅が上下方向（高さ方向）となるため、自重や内部に残留する水の重みによる撓みが起こりにくく、たるみが偏って灌水用チューブ１０が移動することがない。また、保持部材１４と灌水用チューブ１０との固定を行わないので、灌水用チューブ１０の設置作業を容易に行うことができる。
【０１３２】
そして、図１７に示されるように、水を送り込むためのポンプ９０や、灌水用チューブ１０に送り込む水に混入しているゴミなどを取り除くフィルター９１を有する配管９２と、灌水用チューブ１０の一方とを接続して、散水が行われる。また、必要に応じて、灌水用チューブ１０の他方にバルブ９３を設けて、内部のゴミなどを取り除くこともでき、さらに、２本の灌水用チューブ１０をつなぐジョイント９４を設けることができる。
【０１３３】
ポンプ９０を作動させ、配管９２を通じて灌水用チューブ１０に通水すると、灌水用チューブ１０は、図１８（ｂ）や図２０に示されるように、空隙部２５内に水が満たされ、空隙部２５が膨らんで断面形状が円形となる。
そして空隙部２５内の水圧が上昇し、内部を流れる水が散水孔２７から放出される。また、散水孔２７の壁面２７ａによって、放出される水の勢いが低下して、灌水用チューブ１０近傍や高さの低い空間にも散水が可能となる。
なお、密着部２２、２３は途切れずに連続しているので、この部分から水が漏れることが無く、供給された水は散水孔２７から放出される。
【０１３４】
また、ポンプ９０を停止すると、徐々に水圧が低下し、散水孔２７から噴出されていた水の勢いが徐々に低下し、灌水用チューブ１０のシート２０、２１の外側２０ａ、２１ａの表面から滴り落ちる。
そして、この滴り落ちた水は、灌水用チューブ１０の表面を伝って非密着部６０によって形成された樋部６５に至り、いわゆるぼた落ちを防ぐことができる。また、灌水用チューブ１０に傾斜を設けることにより、灌水用チューブ１０の長尺方向の端に向かって誘導することもできる。
【０１３５】
次に、本発明の第７の実施形態の灌水用チューブの設置構造７について説明する。
図２２は、本発明の第７の実施形態の灌水用チューブの通水した状態の設置構造を示す正面図である。図２３は、灌水用チューブの設置構造を示す斜視図である。図２４、図２５（ａ）は、灌水用チューブの設置構造の変形例を示す斜視図である。図２５（ｂ）は、灌水用チューブの設置構造の変形例を示す一部拡大断面図である。
【０１３６】
灌水用チューブの設置構造７は、図２２に示されており、灌水用チューブ１０、保持部材１５１を有している。
【０１３７】
灌水用チューブの設置構造７に用いられる灌水用チューブ１０は、図１８に示された、上記した第６の実施形態で用いられるものと同じものが用いられる。
【０１３８】
保持部材１５１は、図２２、図２３に示されるように、枠状の部材であり、ほぼ同じ幅、厚みの板を曲げたような形状をしており、リング状部１４９を備えている。リング状部１４９にはその中央付近にチューブ収納部３２が設けられ、さらに、チューブ収納部３２の下側には２ヵ所の非密着部収納部７９が設けられている。
チューブ収納部３２は、左右の２ヵ所の半円状の枠である半円部１５４ａ、１５４ｂによってできた内側の空間であり、通水時の灌水用チューブ１０の空隙部２５付近の大きさよりもやや大きい円形をしている。また、チューブ収納部３２の上側と下側には半円部１５４ａ、１５４ｂ同士に隙間を有しており、上側には開放部１５５が、下側には開放部１５６が設けられている。
【０１３９】
非密着部収納部７９は、チューブ収納部３２の下側に設けられた空間であり、それぞれ横方向に張りだしている。また、非密着部収納部７９は、チューブ収納部３２の下側の開放部１５６につながっている。一方の非密着部収納部１５２は、下板部１５２ａと上板部１５２ｂとの間に設けられ、他方の非密着部収納部１５３は、下板部１５３ａと上板部１５３ｂとの間に設けられている。
下板部１５２ａ、１５３ａの形状は円弧状であり、上側が凹状となっている。また、上板部１５２ｂ、１５３ｂは下板部１５２ａ、１５３ａの上側に配置している。上板部１５２ｂ、１５３ｂの中央付近は盛り上がっており、他の部分は下板部１５２ａ、１５３ａに沿うような形状である。したがって、下板部１５２ａ、１５３ａと上板部１５２ｂ、１５３ｂによって形成される非密着部収納部１５２、１５３は、中央付近が他よりも上下方向の幅が広くなっている。
【０１４０】
非密着部６０は非密着部収納部７９の上板部１５２ｂ、１５３ｂと下板部１５２ａ、１５３ａの間にに入れられて保持されるが、非密着部６０は下板部１５２ａ、１５３ａに沿った形に変形している。そして、上板部１５２ｂ、１５３ｂの中央付近は盛り上がっているので、非密着部６０によって形成される樋部６５の上側の谷部６５ａ付近は上板部１５２ｂ、１５３ｂと離れている。
言い換えると、上板部１５２ｂ、１５３ｂは、非密着部６０によって形成される樋部６５の谷部６５ａを避けるように配置している。この谷部６５ａは、樋部６５によって形成される空間の下側部分であって底付近である。
【０１４１】
下板部１５２ａと上板部１５２ｂ、及び、下板部１５３ａと上板部１５３ｂは連続されている。また、下板部１５２ａと下板部１５３ａとが連続されている。さらに、半円部１５４ａと上板部１５２ｂ、半円部１５４ｂと上板部１５３ｂとが連続されている。
【０１４２】
保持部材１５１の上側の構造は、図２２、図２３に示されており、半円部１５４ａ、１５４ｂの上側に、貫通孔１５８が設けられた板部１５９、１５９がそれぞれ接続されている。板部１５９同士の間は隙間を有してスリット状である。また、板部１５９の貫通孔１５８の方向は、灌水用チューブ１０の延びる方向に対して垂直であり、２ヵ所の板部１５９の貫通孔１５８はほぼ同じ位置である。そして、図２２、図２３に示されるように、貫通孔１５８、１５８にひも状部材１５７を挿通して、吊り下げ線１３に吊り下げることができる。
また、板部１５９、１５９同士の間から、灌水用チューブ１０を挿入することができる。
【０１４３】
なお、保持部材１５１は、樹脂製のものを用いているが、金属などの他の材料を用いることができる。
【０１４４】
本実施形態の灌水用チューブの設置構造７では、保持部材１５１によって灌水用チューブ１０を保持する際、チューブ収納部３２に灌水用チューブ１０の全体を入れる。このときの灌水用チューブ１０の姿勢は、図２２、図２３に示されるように、シート２０、２１がいずれも垂直姿勢となり、一方の密着部２２を上方向に位置させ、他方の密着部２３を下方向）に位置させる。すなわち灌水用チューブ１０を縦姿勢にして保持部材１５１のチューブ収納部３２に入れる。
【０１４５】
また、非密着部６０を一方及び他方の非密着部収納部１５２、１５３に配置する。非密着部収納部１５２、１５３の下板部１５２ａ、１５３ａは上側が凹状となっているので、非密着部６０は上側が凹状となるような形状に変形した状態で保持される。そして、一方のシート２０の非密着部６０は非密着部収納部１５３に、他方のシート２１の非密着部６０は非密着部収納部１５２に位置させ、それぞれのシート２０、２１の縁４１が両側の側方に向かって張り出す状態となる。なお灌水用チューブ１０と保持部材１５１との固定は行わない。
【０１４６】
図２２、図２３に示されるように、非密着部６０は、一方及び他方の非密着部収納部１５２、１５３に入れられて、上部が開放する空間を形成して下向きに突出する状態となり、樋部６５が形成される。樋部６５は樋のような形状であり、長手方向に延びている。そして、灌水用チューブ１０を長手方向に対して傾斜を付けるように設置することにより、樋部６５に流れ込んだ水を、灌水用チューブ１０の長手方向の端に向かって誘導することができる。
【０１４７】
灌水用チューブの設置構造７は、上記した第６の実施形態の灌水用チューブの設置構造６と同様に、通水しない状態で自重による撓みが起こりにくく、また、保持部材１５と灌水用チューブ１０との固定を行わないので、灌水用チューブ１０の設置作業を容易に行うことができる。
【０１４８】
また、灌水用チューブの設置構造７には、上記した第６の実施形態の灌水用チューブの設置構造６と同様に、水を送り込むためのポンプ９０や、灌水用チューブ１０に送り込む水に混入しているゴミなどを取り除くフィルター９１を有する配管９２と、灌水用チューブ１０の一方とを接続されており、ポンプ９０を作動させ、配管９２を通じて灌水用チューブ１０に通水することにより散水を行うことができる。
【０１４９】
また、ポンプ９０を停止すると、徐々に水圧が低下し、散水孔２７から噴出されていた水の勢いが徐々に低下し、灌水用チューブ１０のシート２０、２１の外側２０ａ、２１ａである表面から滴り落ちる。
そして、この滴り落ちた水は、灌水用チューブ１０の表面を伝って非密着部６０によって形成された樋部６５に至り、灌水用チューブ１０の長尺方向の端に向かって誘導され、散水孔２７の真下付近に滴り落ちる、いわゆるぼた落ちを防ぐことができる。
【０１５０】
そして、本実施形態の灌水用チューブの設置構造７においても、灌水用チューブ１０を長手方向に対して傾斜を付けるように設置することにより、樋部６５に流れ込んだ水を、灌水用チューブ１０の長手方向の端に向かって誘導することができる。さらに、一方及び他方の保持部材１５１の非密着部収納部１５２、１５３は、中央付近が他よりも上下方向の幅が広くなっており、上板部１５２ｂ、１５３ｂが樋部６５の谷部６５ａを避けるように配置しているので、樋部６５に流れ込んだ水が、保持部材１５１の上板部１５２ｂ、１１５３ｂにせき止められず、確実に誘導することができる。
【０１５１】
上記した第６、第７の実施形態の灌水用チューブの設置構造６、７は、保持部材１４、１５１に設けられた非密着部収納部７９によって非密着部６０の形状を保持して樋部６５が設けられているが、これに加えて、図２４、図２５に示されるように、保持部材１４、１５１同士の間に、補助支持部６６、６７を設けることができる。
【０１５２】
図２４、図２５に示される補助支持部６６、６７は、上記した第６、第７の実施形態の灌水用チューブの設置構造６、７の灌水用チューブ１０の非密着部６０側の縁４１付近を支持するものである。
【０１５３】
そして、補助支持部６６、６７により、非密着部６０側の縁４１のたるみを防止することができ、樋部６５に流れる水を確実に誘導することができる。
すなわち、保持部材１４、１５１を所定の間隔に配置して灌水用チューブ１０を支持しているため、灌水用チューブ１０にたるみを生じるおそれがある。そして、このたるみが大きい場合には樋部６５の形状の維持が不完全となり、灌水用チューブ１０の縁４１の位置が低くなるおそれがある。しかし、補助支持部６６、６７によって樋部６５の形状の維持が可能となり、灌水用チューブ１０の縁４１からあふれることなく、樋部６５に流れる水を確実に誘導することができる。
【０１５４】
補助支持部６６は図２４に示されている。補助支持部６６には、ひも状部材１７０と線材である支持線６９とが設けられ、また、灌水用チューブ１０の非密着部６０側の縁４１付近には貫通孔６８が設けられている。
ひも状部材１７０は貫通孔６８に挿通された状態で環状となっている。また、貫通孔６８の上方には支持線６９が配置されており、ひも状部材１７０の環状の内側に、支持線６９が通っている状態となっている。なお、支持線６９は横方向に張られて固定されており、上記した吊り下げ線１３と同様なものを用いることができる。
そして、非密着部６０の重みや樋部６５に流れる水の重みを支持線６９によって支えることができる。
【０１５５】
また、補助支持部６７は図２５（ａ）、（ｂ）に示されている。補助支持部６７には線材である支持線７２が設けられ、また、灌水用チューブ１０の非密着部６０側の縁４１付近には変形部７１が設けられている。変形部７１は、樋部６５の突出方向とは反対方向に突出し、上側に突出するように曲げられた部分であり、下側が凹んでいる。支持線７２は横方向に張られて固定されている。
【０１５６】
補助支持部６７では、縁４１付近の変形部７１の変形状態を維持するため、変形維持部材８９が設けられている。変形維持部材８９は、支持線７２の外形よりもやや大きい形状の凹部８９ａが設けられ、図２５（ａ）、（ｂ）に示されるように、凹部８９ａに支持線７２に巻き付けられた非密着部６０の縁４１を抱き込むようにして、支持線７２と非密着部６０の縁４１とを固定する。
また、変形維持部材８９を用いて固定する場合には、支持線７２に巻き付けられた非密着部６０の縁４１が変形維持部材８９の開口部８９ｂから入るように、変形維持部材８９を支持線７２に押しつけるようにして行われる。
【０１５７】
そして、変形部７１の下側に支持線７２が配置しており、支持線７２によって変形部７１を支えている。
したがって、補助支持部６６と同様に補助支持部６７により、非密着部６０側の縁４１のたるみを防止することができ、非密着部６０の重みや樋部６５に流れる水の重みを支持線７２によって支えることができ、樋部６５に流れる水を確実に誘導することができる。
【０１５８】
上記した実施形態の灌水用チューブの設置構造６、７では、非密着部６０や樋部材７５で形成される樋部６５を、灌水用チューブ１０の空隙部２５よりも下側に設けたものであったが、上下（天地）を反対に設置して使用することもできる。
図２６は、灌水用チューブの設置構造の変形例を示す斜視図である。
【０１５９】
図２６に示される灌水用チューブの設置構造８では、非密着部６０を有する灌水用チューブ１０を用い、非密着部６０を上側にした状態で灌水用チューブ１０が設置されている。２枚の非密着部６０は上向きに突出し、縁４１が側方に向かうように曲げられて保持されている。この非密着部６０の形状の保持については図示していないが、上記した保持部材１４、１５１を用いることができ、さらに、灌水用チューブの設置構造６、７を天地を反対にして形成することができる。
【０１６０】
図２６のように、苗８１などが植えられた畑などに、シート８２を設けることがある。かかる場合には、シート８２上からでは十分な灌水ができないので、シート８２の下に灌水用チューブ１０を設置することがある。
しかし、シート８２が灌水用チューブ１０の散水孔２７に接触し、シート８２が太陽光などで溶融したときに散水孔２７が塞がれてしまうおそれがあった。
【０１６１】
そこで、図２６に示されるような灌水用チューブの設置構造８を用いることができる。灌水用チューブの設置構造８では、畝８０とシート８２の間に設けられ、畝８０に植えられている苗８１は、開口８２ａが設けられたシート８２から外に向かってのびている。シート８２は、通常黒いビニールシートが用いられ、シート８２の下側の保温を行うことができる。
【０１６２】
そして、灌水用チューブの設置構造８を用いて畝８０に散水を行うことができる。また、非密着部６０によって、灌水用チューブ１０の散水孔２７にシート８２が接触することを防止することができるので、太陽光などによってシート８２が溶融して散水孔２７が塞がれることを防ぐことができる。
【０１６３】
灌水用チューブの設置構造６、７、８の灌水用チューブ１０に用いられるシート２０、２１は、２枚を合わせたものでも良く、１枚のシートを折り曲げたものでもよい。
【図面の簡単な説明】
【０１６４】
【図１】本発明の第１の実施形態の灌水用チューブの設置構造を示す全体図である。
【図２】灌水用チューブを示す図であり、（ａ）は通水しない状態の断面図、（ｂ）は通水した状態の断面図である。
【図３】（ａ）は通水しない状態の灌水用チューブの設置構造を示す要部の拡大斜視図であり、（ｂ）は着脱部を拡大した図である。
【図４】支持部材を示す図であり、（ａ）は正面図、（ｂ）は側面図である。
【図５】支持部材の使用方法の変形例を示す正面図である。
【図６】通水した状態の灌水用チューブの設置構造を示す要部の拡大斜視図である。
【図７】支持部材の変形例を示した斜視図である。
【図８】本発明の第２の実施形態の灌水用チューブの設置構造を示す全体図である。
【図９】通水しない状態の灌水用チューブの設置構造を示す要部の拡大斜視図及び連結部の拡大斜視図である。
【図１０】通水した状態の灌水用チューブの設置構造を示す要部の拡大斜視図である。
【図１１】支持部材を示す図であり、（ａ）は正面図、（ｂ）は上面図である。
【図１２】本発明の第３の実施形態の灌水用チューブの設置構造を示す斜視図である。
【図１３】本発明の第４の実施形態の灌水用チューブの設置構造を示す斜視図である。
【図１４】枝と灌水用チューブの位置関係を示した模式図であり、（ａ）は第３の実施形態の灌水用チューブにおける通水しない状態を示した図であり、（ｂ）は（ａ）の灌水用チューブに通水した状態を示した図であり、（ｃ）は比較例を示した図である。
【図１５】本発明の第５の実施形態の灌水用チューブの設置構造を示す斜視図である。
【図１６】本発明の第５の実施形態の灌水用チューブの設置構造を示す側面図である。
【図１７】本発明の第６の実施形態の灌水用チューブの設置構造を示す全体図である。
【図１８】灌水用チューブを示す図であり、（ａ）は通水しない状態の断面図、（ｂ）は通水した状態の断面図である。
【図１９】（ａ）は通水しない状態の灌水用チューブの設置構造を示す要部の拡大斜視図であり、（ｂ）は着脱部を拡大した図である。
【図２０】通水した状態の灌水用チューブの設置構造の要部の拡大斜視図である。
【図２１】保持部材を示す図であり、（ａ）は正面図、（ｂ）は側面図である。
【図２２】本発明の第７の実施形態の灌水用チューブの通水した状態の設置構造を示す正面図である。
【図２３】灌水用チューブの設置構造を示す斜視図である。
【図２４】灌水用チューブの設置構造の変形例を示す斜視図である。
【図２５】灌水用チューブの設置構造の変形例を示す図であり、（ａ）は斜視図であり、（ｂ）は一部拡大断面図である。
【図２６】灌水用チューブの設置構造の変形例を示す斜視図である。
【符号の説明】
【０１６５】
１、２、３、４、５、６、７、８  灌水用チューブの設置構造
１０  灌水用チューブ
１１、５１  支持部材
２０、２１  シート
２２、２３  密着部
２５  空隙部
２７  散水孔
２７ａ  壁面
２８  孔内突出部
３０、３１  フック
３２  チューブ収納部
４１、４２  縁
４５  凹部（地側支持部）
４６  凹部
４７  凹部（天側支持部）
４８  凹部
５７  凹部（天側支持部）
５８  凹部（地側支持部）
４５ａ、４６ａ、４７ａ、４８ａ、５７ａ、５８ａ  開放部
４９  リング状部
５４  支柱取付部
１４、１５１  保持部材
１３  吊り下げ線
６０  非密着部
６５  樋部
【図１】
2006296310.tif 000003
【図２】
2006296310.tif 000004
【図３】
2006296310.tif 000005
【図４】
2006296310.tif 000006
【図５】
2006296310.tif 000007
【図６】
2006296310.tif 000008
【図７】
2006296310.tif 000009
【図８】
2006296310.tif 000010
【図９】
2006296310.tif 000011
【図１０】
2006296310.tif 000012
【図１１】
2006296310.tif 000013
【図１２】
2006296310.tif 000014
【図１３】
2006296310.tif 000015
【図１４】
2006296310.tif 000016
【図１５】
2006296310.tif 000017
【図１６】
2006296310.tif 000018
【図１７】
2006296310.tif 000019
【図１８】
2006296310.tif 000020
【図１９】
2006296310.tif 000021
【図２０】
2006296310.tif 000022
【図２１】
2006296310.tif 000023
【図２２】
2006296310.tif 000024
【図２３】
2006296310.tif 000025
【図２４】
2006296310.tif 000026
【図２５】
2006296310.tif 000027
【図２６】
2006296310.tif 000028